(57)【要約】【課題】  ミシン用の電気コードをミシン本体に収納するための収納構造に関し、安価で外観上の見栄えが良く、且つ作業性に優れた収納構造を実現する。【解決手段】  本発明に係るミシン１０は、ミシン本体１１の外面に電源コード３０を収納可能に設けられた収納凹部１７と、ミシン本体１１に収納凹部１７を閉鎖する閉鎖状態又は収納凹部１７を開放する開放状態に設定可能に設けられ、閉鎖状態においてミシン本体１１の意匠面を構成する開閉扉２０と、電源コード３０の巻き付けのために開閉扉２０のうち閉鎖位置において収納凹部１７に対向する扉内面２０ａから当該扉内面２０ａの延在面と交差する方向に延出する巻き付け軸２５と、を含む。【選択図】  図２
2015002760.tif 000002
【特許請求の範囲】
【請求項１】
ミシン本体の外面にミシン用の電気コードを収納可能に設けられた収納凹部と、
前記ミシン本体に前記収納凹部を閉鎖する閉鎖状態又は前記収納凹部を開放する開放状態に設定可能に設けられ、前記閉鎖状態において前記ミシン本体の意匠面を構成する開閉扉と、
前記電気コードの巻き付けのために前記開閉扉のうち前記閉鎖状態において前記収納凹部に対向する扉内面から当該扉内面の延在面と交差する方向に延出する巻き付け軸と、
を含む、ミシン。
【請求項２】
請求項１に記載のミシンであって、
前記巻き付け軸は、当該巻き付け軸に巻き付けられた前記電気コードが当該巻き付け軸の軸方向に抜け出すのを規制する規制部を備える、ミシン。
【請求項３】
請求項１又は２に記載のミシンであって、
前記巻き付け軸は、前記電気コードのコード端部に設けられたプラグを筒内空間に収納可能な筒状部材として構成される、ミシン。
【請求項４】
請求項３に記載のミシンであって、
前記筒状部材の開口縁部には、筒内と筒外との間に延在する前記電気コードを係止可能な係止溝が設けられている、ミシン。
【請求項５】
請求項１〜４のうちのいずれか一項に記載のミシンであって、
前記電気コードは、一方のコード端部が前記ミシン本体の内部の通電領域に常時に接続され、且つ他方のコード端部が前記ミシン本体に設けられた取り出し孔を通じて前記収納凹部に取り出されている、ミシン。
【請求項６】
請求項１〜５のうちのいずれか一項に記載のミシンであって、
前記開閉扉は、回動軸を介して前記ミシン本体に取り付けられ、前記回動軸を中心に前記収納凹部を閉鎖する閉鎖位置と前記収納凹部を開放する開放位置との間で回動可能である、ミシン。
【請求項７】
請求項６に記載のミシンであって、
前記回動軸は弾性を有し、前記開閉扉は、前記回動軸の弾性変形によって前記ミシン本体から取り外し可能である、ミシン。
【発明の詳細な説明】
【技術分野】
【０００１】
本発明は、ミシンに係り、特にはミシン用の電気コードをミシン本体に収納するための構造に関する。
【背景技術】
【０００２】
従来、ミシン用の電気コードを収納するための技術が種々開示されている。例えば下記特許文献１に開示のミシンは、電源コードを巻き取り可能なコードリールをミシン本体に内蔵している。この技術によれば、ユーザはミシンの不使用時に電源コードをコードリールによって巻き取ってミシン本体に収納することができる。また、例えば下記特許文献２には、ミシン本体との接続のための電気コードを収納可能な凹部を備えたミシン用フットコントローラが開示されている。この技術によれば、ユーザはミシンの不使用時に電気コードを渦巻状に巻いてフットコントローラの凹部に収納することができる。
【先行技術文献】
【特許文献】
【０００３】
【特許文献１】実開昭６３−１７１１７６号公報
【特許文献２】実開平３−２７４７４号公報
【発明の概要】
【０００４】
（発明が解決しようとする課題）
特許文献１に開示のミシンは、電源コードを収納するために高価なコードリールを用いており製品コストに関して不利である。また、このミシンは、電源コードをコードリールから引き出し易くするために電源プラグの先端をミシン本体から露出させる必要があり外観上の見栄えに関して不利である。そこで、これらの問題に対処するために特許文献２に開示の電気コードの収納構造を用いることも考えられる。しかしながら、この収納構造は、電気コード自体を渦巻状に巻いた上で凹部に収納したり、電気コードを渦巻状に巻きながら凹部に収納したりする難しい作業を要するため、電気コードの収納に係る作業性に関して不利である。
【０００５】
本発明は、上記の点に鑑みてなされたものであり、その目的の１つは、ミシン用の電気コードをミシン本体に収納するための収納構造に関し、安価で外観上の見栄えが良く、且つ作業性に優れた収納構造を実現することである。
【０００６】
（課題を解決するための手段）
上記目的を達成するため、本発明に係るミシンは、収納凹部、開閉扉及び巻き付け軸を含む。収納凹部は、ミシン本体の外面にミシン用の電気コードを収納可能に設けられる。開閉扉は、ミシン本体に収納凹部を閉鎖する閉鎖状態又は収納凹部を開放する開放状態に設定可能に設けられ、閉鎖状態においてミシン本体の意匠面を構成する。巻き付け軸は、電気コードの巻き付けのために開閉扉のうち閉鎖状態において収納凹部に対向する扉内面から当該扉内面の延在面と交差する方向に延出する。
【０００７】
上記構成によれば、ユーザは開放状態の開閉扉の扉内面から延出している巻き付け軸に電気コードを直接巻き付けた後、開閉扉を閉鎖状態に設定することによって電気コードを収納凹部に収納することができる。この場合、巻き付け軸に電気コードを容易に巻き付けることができるため、電気コードの収納に係る作業性に優れている。また、コードリール等の高価な装置を用いる必要がなく電気コードの安価な収納構造を実現できる。また、コードリールの電気的な仕様が認められていない国や地域においてもミシン本体に電気コードを収納する構造を提供することができる。更に、電気コードのコード端部にプラグが設けられている場合には、電気コードをプラグとともに収納凹部に収納することによって、プラグがミシン本体から露出するのを防止することができるためミシン本体の外観上の見栄えが良い（美観に優れている）。
【０００８】
本発明に係る上記のミシンでは、巻き付け軸は、当該巻き付け軸に巻き付けられた電気コードが当該巻き付け軸の軸方向に抜け出すのを規制する規制部を備えるのが好ましい。この規制部は、巻き付け軸に巻き付けられた電気コードの巻き付け状態を維持するのに有効である。
【０００９】
本発明に係る上記のミシンでは、巻き付け軸は、電気コードのコード端部に設けられたプラグを筒内空間に収納可能な筒状部材として構成されるのが好ましい。これにより、電気コードを巻き付け軸に巻き付ける一方で、この電源コードのコード端部に設けられたプラグを巻き付け軸の筒内空間に収納することができる。この場合、巻き付け軸の断面中心領域（巻き付け中心領域）に筒内空間が形成されているため、巻き付け軸に対する電気コードの巻き付け位置にかかわらず、プラグを筒内空間に容易に収納することができる。
【００１０】
本発明に係る上記のミシンでは、筒状部材の開口縁部には、筒内と筒外との間に延在する電気コードを係止可能な係止溝が設けられているのが好ましい。この場合、電気コードのうちプラグの近傍の部位を係止溝に嵌め込むことによって、巻き付け軸に巻き付けた電気コードの一部が巻き付け軸からはみ出すのを防止することができる。
【００１１】
本発明に係る上記のミシンでは、電気コードは、一方のコード端部がミシン本体の内部の通電領域に常時に接続され、且つ他方のコード端部がミシン本体に設けられた取り出し孔を通じて収納凹部に取り出されているのが好ましい。これにより、ユーザによってミシン本体から電気コードが取り外されるおそれがなく電気コードの紛失を阻止できる。
【００１２】
本発明に係る上記のミシンでは、開閉扉は、回動軸を介してミシン本体に取り付けられ、この回動軸を中心に収納凹部を閉鎖する閉鎖位置と収納凹部を開放する開放位置との間で回動可能であるのが好ましい。この場合、回動式の開閉扉を用いることによって開閉扉の開閉構造を簡素化することができる。
【００１３】
本発明に係る上記のミシンでは、回動軸は弾性を有し、開閉扉は、この回動軸が例えば外部荷重を受けたときの当該回動軸の弾性変形によってミシン本体から取り外し可能であるのが好ましい。これにより、回動軸の弾性を利用してミシン本体から開閉扉を一時的に取り外した上で、この開閉扉の巻き付け軸に電気コードを巻き付けることができる。この場合、ユーザは電気コードの巻き付け作業を更に容易に行うことができる。また、その後にこの開閉扉を回動軸の弾性を利用してミシン本体に再び取り付けることができる。
【発明の効果】
【００１４】
以上のように、本発明によれば、ミシン用の電気コードをミシン本体に収納するための収納構造に関し、安価で外観上の見栄えが良く、且つ作業性に優れた収納構造を実現することが可能になった。
【図面の簡単な説明】
【００１５】
【図１】本実施の形態に係るミシン１０を背面側から視たときの外観を示す斜視図である。
【図２】ミシン１０の外観を示す斜視図であって、電源コード３０を収納可能な収納凹部１７を開閉するための開閉扉２０がミシン本体１１から取り外された状態を示す図である。
【図３】図２中の開閉扉２０のＡ領域の構造を示す部分拡大図である。
【図４】図２中の開閉扉２０のＢ領域の構造を示す部分拡大図である。
【図５】図２中の開閉扉２０の巻き付け軸２５の構造を示す図である。
【図６】開閉扉２０が収納凹部１７を開放する開放位置にあるときのミシン１０の一部の外観を示す斜視図である。
【発明を実施するための形態】
【００１６】
以下、本発明の実施形態を図面を参照しながら説明する。
【００１７】
図１には、本実施の形態に係るミシン１０を背面側から視たときの外観が示されている。なお、この図１及び他の図面において、ミシン１０をユーザが位置する前方側から視た場合、ミシン１０の左方向を矢印Ｘで示す第１方向とし、ミシン１０の前方向を矢印Ｙで示す第２方向とし、ミシン１０の上方向を矢印Ｚで示す第３方向としている。
【００１８】
図１に示すように、ミシン１０は、ミシン本体１１の内部に複数の構成要素を収容している。ミシン本体１１は、前方側ハウジング１１ａ及び後方側ハウジング１１ｂによって構成されている。このミシン本体１１の背面、特には後方側ハウジング１１ｂの背面に収納凹部１７が設けられている。この収納凹部１７は、ミシン用の電気コード、特には電源コード３０（コード部３０ａ及びプラグ３０ｂ）を収納可能な開口状の収納空間を形成している。ミシン本体１１の背面は、ミシン１０の使用時にユーザに対向する面をミシン本体１１の前面（正面）とした場合に、その前面とは反対側の面として規定される。電源コード３０は電源投入用のターミナルボックス１２に接続されている。この収納凹部１７が本発明の「収納凹部」に相当する。
【００１９】
ミシン本体１１には、収納凹部１７を閉鎖する閉鎖位置（閉鎖状態）と収納凹部１７を開放する開放位置（開放状態）との間で開閉動作可能な平板状の開閉扉（「収納扉」ともいう）２０が設けられている。この開閉扉２０は、その閉鎖位置において収納凹部１７に対向する扉内面２０ａと、その閉鎖位置においてミシン本体１１の意匠面（外側意匠面）を構成する扉外面２０ｂとを備えている。この開閉扉２０が本発明の「開閉扉」に相当する。この開閉扉２０は、上下一対の回動機構２１，２１を介してミシン本体１１に回動可能に取り付けられる回動式であり、図１に示す実施例では特に右開きになっている。各回動機構２１は、開閉扉２０に設けられた凸状の回動軸２３と、ミシン本体１１に設けられた凹部１４とからなる。この場合、ユーザが開閉扉２０に設けられた操作爪２２を引き操作或いは押し込み操作することによって、開閉扉２０を回動軸２３を中心にして収納凹部１７を閉鎖する閉鎖位置と収納凹部１７を開放する開放位置との間で回動させることができる。この場合、回動式の開閉扉２０を用いることによって開閉扉２０の開閉構造を簡素化することができる。
【００２０】
一方で、ミシン本体１１には電源コード３０のコード部３０ａを嵌め込み可能な電源コード溝１３が設けられている。この電源コード溝１３を用いれば、開閉扉２０を閉鎖位置に設定した状態であっても電源コード３０をこの電源コード溝１３に嵌め込みつつ収納凹部１７から取り出すことによって、ミシン１０を使用することができる。また、ミシン本体１１には開閉扉２０の操作爪２２の形状に対応した凹部１５が設けられている。このため、開閉扉２０を閉鎖位置に設定した状態で当該開閉扉２０の扉外面２０ｂとミシン本体１１の背面とを面一（フラット）にすることができ、ミシン本体１１の外観上の見栄えを向上させることができる。
【００２１】
図２に示すように、電源コード３０のコード部３０ａは、一方のコード端部が通電領域であるターミナルボックス１２に常時に接続されている。また、コード部３０ａのうちプラグ３０ｂが設けられた他方のコード端部は、ミシン本体１１に設けられた取り出し孔１６を通じて収納凹部１７に取り出されている。この取り出し孔１６が本発明の「取り出し孔」に相当する。この構造によれば、ユーザによってミシン本体１１から電源コード３０が取り外されるおそれがなく電源コード３０の紛失を阻止できる。
【００２２】
ここで、上記の開閉扉２０の詳細な構造を図２〜図５を参照しつつ説明する。
【００２３】
図２及び図３が参照されるように、開閉扉２０は、典型的には弾性を有する樹脂材料によって形成されており、各回動軸２３を弾性変形させつつミシン本体１１の各凹部１４に嵌め込むことによって開閉扉２０をミシン本体１１に組付けることができる。この組付け構造は所謂「スナップフィット構造」とも称呼される。一方で、この開閉扉２０は、各回動軸２３が弾性変形するような外部荷重を受けることによって、ミシン本体１１から取り外し可能である。このため、ユーザは必要に応じて開閉扉２０をミシン本体１１に自由に着脱することができる。
【００２４】
図２及び図４が参照されるように、開閉扉２０は、当該開閉扉２０を閉鎖位置に保持するための２つのノッチ２４を備えている。この場合、開閉扉２０が閉鎖位置に設定されると、各ノッチ２４は収納凹部１７の開口縁部から受ける荷重によって押し縮められるように弾性変形する（特に、図４中の二点鎖線参照）。この場合、収納凹部１７の開口縁部と各ノッチ２４との間に生じる摩擦力によって、開閉扉２０はミシン本体１１に確実に保持される。このため、開閉扉２０が不用意に開放するのを阻止できる。
【００２５】
図２及び図５が参照されるように、開閉扉２０の扉内面２０ａには、当該扉内面２０ａの延在面（開閉扉２０の閉鎖位置では第１方向Ｘ及び第３方向Ｚによって規定される平面）と交差する方向（開閉扉２０の閉鎖位置では第２方向Ｙ）に延出する巻き付け軸２５が設けられている。この巻き付け軸２５は、その軸周に電源コード３０のコード部３０ａを巻き付け可能な領域を備えている。この巻き付け軸２５が本発明の「巻き付け軸」に相当する。また、前述のスナップフィット構造（回動軸２３の弾性）を利用してミシン本体１１から開閉扉２０を一時的に取り外すこともできる。
【００２６】
この巻き付け軸２５は、筒内空間２６を有する筒状部材として構成されている。これにより、電源コード３０のコード部３０ａを巻き付け軸２５に巻き付ける一方で、このコード部３０ａのコード端部に設けられたプラグ３０ｂを巻き付け軸２５の筒内空間２６に収納することができる。この筒内空間２６が本発明の「筒内空間」に相当する。この場合、巻き付け軸２５の断面中心領域（巻き付け中心領域）に筒内空間２６が形成されているため、巻き付け軸２５に対するコード部３０ａの巻き付け位置にかかわらず、プラグ３０ｂを筒内空間２６に容易に収納することができる。
【００２７】
また、この巻き付け軸２５の開口縁部２５ａには、筒内と筒外との間に延在するコード部３０ａを係止可能な係止溝２７が設けられている。この係止溝２７が本発明の「係止溝」に相当する。この場合、コード部３０ａのうちプラグ３０ｂの近傍の部位を係止溝２７に嵌め込むことによって、巻き付け軸２５に巻き付けたコード部３０ａの一部が巻き付け軸２５からはみ出すのを防止することができる。この係止溝２７は、開口縁部２５ａの複数の異なる位置にそれぞれ設けられるのが好ましい。これにより、巻き付け軸２５に対するコード部３０ａの任意の巻き付け位置で、好適な位置にある係止溝２７を選択して当該係止溝にコード部３０ａを嵌め込むことができる。
【００２８】
また、この巻き付け軸２５は、その先端部にフランジ状（鍔状）の規制部２８を備えている。この規制部２８は、巻き付け軸２５に巻き付けられたコード部３０ａが巻き付け軸２５の軸方向（図５中の矢印方向）に抜け出すのを規制する機能を果たす。この規制部２８が本発明の「規制部」に相当する。これにより、巻き付け軸２５に巻き付けられたコード部３０ａの巻き付け状態を維持するのに有効である。
【００２９】
ミシン１０の未使用時に電源コード３０をミシン本体１１の収納凹部１７に収納する収納作業の典型例については図６が参照される。この収納作業では、ユーザが開閉扉２０の操作爪２２を引き操作することによって収納凹部１７の開口縁部とノッチ２４との係合が外れ、更に開閉扉２０を回動させることによって開閉扉２０が開放位置に設定される。この開放位置では、開閉扉２０の扉内面２０ａから突出している巻き付け軸２５が露出するため、ユーザはこの巻き付け軸２５に電源コード３０のコード部３０ａを容易に巻き付けることができる。また、ユーザはコード部３０ａのうちプラグ３０ｂの近傍の部位を巻き付け軸２５の係止溝２７に嵌め込んだ上で、プラグ３０ｂを巻き付け軸２５の筒内空間２６に収納することができる。その後、ユーザが開閉扉２０を閉鎖位置に向けて回動させ、更に収納凹部１７の開口縁部にノッチ２４が係合するまで操作爪２２を押し込み操作することによって開閉扉２０が閉鎖位置に設定される。
【００３０】
上記構成によれば、ユーザは開放状態の開閉扉２０の扉内面２０ａから延出している巻き付け軸２５に電源コード３０を直接巻き付けた後、開閉扉２０を閉鎖状態に設定することによって電源コード３０を収納凹部１７に収納することができる。この場合、巻き付け軸２５に電源コード３０を容易に巻き付けることができるため、電源コード３０の収納に係る作業性に優れている。また、コードリール等の高価な装置を用いる必要がなく電源コード３０の安価な収納構造を実現できる。また、コードリールの電気的な仕様が認められていない国や地域においてもミシン本体１１に電源コード３０を収納する構造を提供することができる。更に、プラグ３０ｂを含む電源コード３０全体を収納凹部１７に収納することによって、プラグ３０ｂがミシン本体１１から露出するのを防止することができるためミシン本体１１の外観上の見栄えが良い（美観に優れている）。
【００３１】
図６に示す形態の収納作業に代えて、前述のスナップフィット構造を利用してミシン本体１１から開閉扉２０を一時的に取り外した上で、電源コード３０のコード部３０ａを巻き付け軸２５に巻き付けることもできる。この場合、電源コード３０のコード部３０ａの巻き付け作業を更に容易に行うことができる。また、その後にこの開閉扉２０を前述のスナップフィット構造を利用してミシン本体１１に再び取り付けることができる。
【００３２】
本発明は、上記の典型的な実施形態のみに限定されるものではなく、種々の応用や変形が考えられる。例えば、上記実施の形態を応用した次の各形態を実施することもできる。
【００３３】
上記実施の形態では、電源コード３０を収納するための収納凹部１７をミシン本体１１の背面に設ける場合について記載したが、本発明では、収納凹部１７を設ける場所はこれに限定されるものではなく、ミシン本体１１の前面、側面、上面等を適宜に選択することができる。
【００３４】
また上記実施の形態では、開閉扉２０が右開きである場合について記載したが、本発明では、開閉扉２０は右開きに限定されるものではなく、必要に応じて左開き、上開き、下開き等の構造を採用することもできる。
【００３５】
また上記実施の形態では、開閉扉２０のための回動機構２１を、開閉扉２０の回動軸２３とミシン本体１１の凹部１４とによって構成する場合について記載したが、本発明では、ミシン本体１１に回動軸２３に相当する部位を設け、開閉扉２０に凹部１４に相当する部位を設けた構成を採用することもできる。
【００３６】
また上記実施の形態では、開閉扉２０がスナップフィット構造を利用してミシン本体１１に着脱自在となる場合について記載したが、本発明では開閉扉２０がヒンジ機構等を介してミシン本体１１に着脱不能に取り付けられてもよい。
【００３７】
また上記実施の形態では、ミシン本体１１の収納凹部１７を開閉するために回動式の開閉扉２０を採用しているが、本発明では回動式に代わる別の形態の開閉構造を採用することもできる。また、開閉扉２０の縁部とミシン本体１１の開口縁部のうちの一方に１又は複数の爪体を設け、開閉扉２０の縁部とミシン本体１１の開口縁部のうちの他方に当該爪体に係合する１又は複数の凹部を設け、爪体を対応する凹部に嵌め込むことによって開閉扉２０をミシン本体１１に取り付ける構造を採用することもできる。この場合、前述のスナップフィット構造を利用して開閉扉２０がミシン本体１１に着脱自在となるように構成されるのが好ましい。この開閉扉２０を、収納凹部１７を閉鎖する閉鎖状態又は収納凹部１７を開放する開放状態に設定可能な開閉蓋ということもできる。
【００３８】
また上記実施の形態では、プラグ３０ｂを収納するための筒内空間２６（第１の構成要素）、コード部３０ａを係止するための係止溝２７（第２の構成要素）、及びコード部３０ａの抜け出しを規制する規制部２８（第３の構成要素）の全てを兼ね備えた巻き付け軸２５について記載したが、本発明では、これら３つの構成要素のうちの少なくとも１つを省略することもできる。例えば、これら３つの構成要素の全てを省略した場合には、巻き付け軸２５に代えて中空空間の無い中実棒状の巻き付け軸を採用することができる。これにより巻き付け軸の構造を簡素化することができる。
【００３９】
また上記実施の形態では、ミシン本体１１に常時に接続されるタイプの電源コード３０について記載したが、本発明では、この電源コード３０に代えて差し込みプラグ等の接続手段を介してミシン本体１１に着脱可能な電源コードに変更することもできる。
【００４０】
また上記実施の形態では、ミシン本体１１の収納凹部１７に電源コード３０を収納する場合について記載したが、電源コード３０をはじめとしてミシン用の各種の電気コードを収納する収納構造に本発明を適用することができる。この場合、電気コードはプラグ３０ｂに相当する部位を備えていなくてもよい。
【符号の説明】
【００４１】
１０…ミシン、１１…ミシン本体、１１ａ…前方側ハウジング、１１ｂ…後方側ハウジング、１２…ターミナルボックス、１３…電源コード溝、１４…凹部、１５…凹部、１６…取り出し孔、１７…収納凹部、２０…開閉扉、２０ａ…扉内面、２０ｂ…扉外面、２１…回動機構、２２…操作爪、２３…回動軸、２４…ノッチ、２５…巻き付け軸、２５ａ…開口縁部、２６…筒内空間、２７…係止溝、２８…規制部、３０…電源コード、３０ａ…コード部、３０ｂ…プラグ  
【図１】
2015002760.tif 000003
【図２】
2015002760.tif 000004
【図３】
2015002760.tif 000005
【図４】
2015002760.tif 000006
【図５】
2015002760.tif 000007
【図６】
2015002760.tif 000008